(57)【要約】【課題】本発明は、火災や地震などのような災害発生時、室内に迅速に避難することができる災害用保護装置を提供する。【解決手段】本発明の一側面によれば、保護機本体と、一側が保護機本体に設けられ、室内外空気が流入されるようにする空気供給部材と、保護機本体の一側に設けられる遮断ドアと、保護機本体の一側に設けられ、地震の発生を感知及び警報する地震報知器とを包含してなされることを特徴とする災害用保護装置を提供する。【選択図】図１
2011012533.tif 000002
【特許請求の範囲】
【請求項１】
保護機本体、
一側が前記保護機本体に設けられ、室内外空気が流入されるようにする空気供給部材、
前記保護機本体の一側に設けられる遮断ドア、及び、
前記保護機本体の一側に設けられ、地震の発生を感知及び警報する地震報知器を包含してなされることを特徴とする災害用保護装置。
【請求項２】
前記保護機本体には、使用者の安全を確保するための保護具が設けられたことを特徴とする請求項１に記載の災害用保護装置。
【請求項３】
前記空気供給部材は、一側は前記保護機本体の内部に位置し、他側は前記保護機本体の外部に露出する室内空気供給部材と、一側は、前記保護機本体の内部に位置し、他側は、室外に露出する室外空気供給部材とを備えることを特徴とする請求項１又は２に記載の災害用保護装置。
【請求項４】
前記遮断ドアは、前記保護機本体の一側に設けられるドア枠と、前記ドア枠に取り付けられるドア支持部材と、前記ドア支持部材によりドア枠の一側に支持される固定ドアと、前記ドア枠の他側に支持される移動ドアと、前記ドア枠に固定され、前記移動ドアを支持するドア固定部材とを備えることを特徴とする請求項１〜３のいずれか１つに記載の災害用保護装置。
【請求項５】
前記地震報知器は、保護機本体に設けられる報知器本体と、前記報知器本体の底面に設けられる支持ロッドと、前記支持ロッドの端部に固定される弾性支持体と、前記弾性支持体に収容される感知錘と、前記報知器本体の内部に設けられ、外部衝撃により振動する感知錘を認識する感知センサーと、前記報知器本体に設けられる非常ベルとを備えることを特徴とする請求項１〜４のいずれか１つに記載の災害用保護装置。
【請求項６】
前記保護機本体の内部には、衝撃吸収スポンジが設けられたことを特徴とする請求項１〜５のいずれか１つに記載の災害用保護装置。
【請求項７】
前記空気供給部材は、地下に埋設されていることを特徴とする請求項１〜６のいずれか１つに記載の災害用保護装置。
【発明の詳細な説明】
【技術分野】
【０００１】
本発明は、災害用保護装置に関するものであって、より詳しくは地震や火災などの災害時に迅速に避難することができるように住宅や建物などの内部に設けられる災害用保護装置に関する。
【背景技術】
【０００２】
一般に、地震(ｅａｒｔｈｑｕａｋｅ)とは、地下の地盤や岩盤が、一定の部分を境目にして急にずれ動き、その衝撃によって引き起こされる振動をいう。即ち、地震は、地球内のあるところに急激な地殻変動が生じ、その衝撃により発生した波動、即ち、地震波(ｓｅｉｓｍｉｃ  ｗａｖｅ)が、地表面まで伝わり、地盤を振動させることであって、広い地域でほとんど同時に感じられる。
【０００３】
この際、各地域の振動程度、即ち、震度(ｓｅｉｓｍｉｃ ｉｎｔｅｎｓｉｔｙ)を調査してみると、ひずみが発生した震源の真上の地点、つまり震央(ｅｐｉｃｅｎｔｅｒ)位置で振動が最も強く、そこから遠くなるほど弱くなり、ある限界点を過ぎると、感じ難くなる。それゆえ、振動が最も強い位置付近の地下で何らかの急激な変動が生じ、それによる振動が四方に広がることによって、多くの地域を揺らすのである。
【０００４】
こうした地震の規模は、敏感な地震計のみで検出することができるような小さい規模のものから、多くの地域に大きな被害を与えるような大規模のものまで様々ものがあり、全世界的に毎日地球上に生ずる地震は、おおよそ数千個に至るといえる。多くの地震は、長期間にわたって大陸の移動、海底の拡張、山脈の形成などに作用する地球内の大きな力により発生する。その他、火山活動による地震もあるが、この場合は、その規模が比較的に小さい。また、爆発物による人工的な地震も発生したりする。
【０００５】
前述したような地震は、自然災害として区分され、多くの人命被害を伴うと共に財産上の被害を発生させる。そこで、地震などの災害が生じたとき、通常、落下物、つまり建物が傾いたりする状況によって落下や移動する事務室内の事務用品による圧死事故、火災などにより、多くの人命被害が発生する。
【０００６】
前述した地震などによる災害から人命を保護するための先行技術が特許文献１の「災害避難用安全机」に開示されている。この先行技術は、長方形の板体形状に形成される上板と、この上板の下部に備えられる中央引出しと、この中央引出しの両側に備えられ、垂直方向に設けられる多数個の補助引出しを有する支持部及びこの支持部間に形成され、使用者の足部が位置するための安全空間を包含する構成からなる机において、各支持部の外側面に楕円形状の吸収部が形成され、安全空間の下部に水平方向に支持板が連結され、支持板の両端部が各支持部の内側面の下側端部に連結され、安全空間の前面に開放可能になされるドアが設けられることを特徴とする災害避難用安全机に関するものである。
【０００７】
前記先行技術は、地震などの天災地変やテロ又は外部侵入者が侵し入った場合、安全な空間に緊急避難することによって、避難者に初期応急避難所を提供することができる利点がある。但し、建物が倒壊されたり、閉鎖された場合は、避難者に継続して酸素を供給することができなかったため、避難者が酸欠状態による窒息死が発生した。また、地震などの災害初期に地震発生有無について報知する手段を備えていなかったため、初期対応が遅れるといった問題点があった。
【先行技術文献】
【特許文献】
【０００８】
【特許文献１】韓国登録実用新案第２０−０４１９２６３号公報（2006.06.16）
【発明の概要】
【発明が解決しようとする課題】
【０００９】
本発明は、前述したような問題点を解決するために案出されたものであって、本発明の一実施例は、地震や火災などの災害時、迅速で安全に避難することができる災害用保護装置に係る。
【課題を解決するための手段】
【００１０】
本発明の望ましい一実施例は、保護機本体と、一側が保護機本体に設けられ、室内外空気が流入されるようにする空気供給部材と、保護機本体の一側に設けられる遮断ドアと、保護機本体の一側に設けられ、地震の発生を感知及び警報する地震報知器とを包含してなされることを特徴とする災害用保護装置を提供する。
【発明の効果】
【００１１】
前述した本発明によれば、第一に、保護機本体に設けられる地震報知器により地震などのような災害が生じた時、迅速に初期対応し避難することができる災害用保護装置を提供することができる。
【００１２】
第二に、保護機本体に設けられた空気供給部材により、建物が倒壊した場合にも安定的に酸素を受けることができる。
【００１３】
第三に、遮断ドアの構成的特性により外部との遮断効果を高めることができる。
【図面の簡単な説明】
【００１４】
【図１】本発明の一実施例による災害用保護装置を示した断面図である。
【図２】図１に図示の災害用保護装置に採用された保護フレームが保護機本体に設けられた状態を示した斜視図である。
【図３Ａ】図１に図示の災害用保護装置に採用された空気供給部材の供給部材保護部を示した断面図である。
【図３Ｂ】図１に図示の災害用保護装置に採用された空気供給部材の供給部材保護部を示した断面図である。
【図４】図１に図示の災害用保護装置に採用された遮断ドアを示した分解斜視図である。
【図５】図１に図示の災害用保護装置に採用された地震報知器を示した断面図である。
【図６】図１に図示の災害用保護装置の使用状態図である。
【発明を実施するための形態】
【００１５】
図１は、本発明の一実施例による災害用保護装置を示した断面図であり、図２は、図１に図示の災害用保護装置に採用された保護フレームが保護機本体に設けられた状態を示した斜視図であり、図３Ａ及び図３Ｂは、図１に図示の災害用保護装置に採用された空気供給部材の供給部材保護部を示した断面図であり、図４は、図１に図示の災害用保護装置に採用された遮断ドアを示した分解斜視図であり、図５は、図１に図示の災害用保護装置に採用された地震報知器を示した断面図である。
【００１６】
本発明の望ましい実施例による災害用保護装置１は、保護機本体１０、空気供給部材２０、遮断ドア３０、地震報知器４０、保護具５０を包含する。
【００１７】
保護機本体１０は、図１に示したように、六面体形状が望ましく、内部には重量のある落下物から避難者を保護するように望ましくは四角柱の鉄材からなる保護フレーム１１が設けられる。また、保護機本体１０の内部壁体には図１に示したように避難者を内部衝撃から保護し得るように衝撃吸収スポンジ１２が設けられる。
【００１８】
前記衝撃吸収スポンジ１２は、一般のものに比して衝撃を１０倍以上減らす役割を奏しているので、衝撃吸収スポンジ１２は、器具それ自体が建物と共に崩壊し、墜落する場合でも、衝撃を全て吸収し、内部の避難者を保護することができる。一方、衝撃吸収スポンジ１２を、図１に示したように椅子形状に構成し、避難者が座っていられるように構成することが望ましい。この椅子形状の衝撃吸収スポンジ１２には、シートベルトのような保護具５０が設けられる。
【００１９】
空気供給部材２０は、建物などの倒壊に起因して建物内の空気が希薄になった場合、避難者に空気を供給するためのものであって、望ましくは銅管からなり、図１に示したように、一側は、保護機本体１０の内部に貫通し、他側は、保護機本体１０の外部に貫通する、建物内に設けられた室内空気供給部材２１と、一側は、保護機本体１０の内部に貫通し、他側は、建物の外部に露出していることにより、室内空気供給部材２１が詰まると、室外の空気を保護機本体１０に供給させる室外空気供給部材２２と、前記室内空気供給部材２１と室外空気供給部材２２の少なくとも何れか一方に設けられ、流入された空気を浄化させるフィルタ２３とを備える。
【００２０】
前記空気供給部材２０は、建物の破片や火災から保護を受けることができるように地下に埋設することが望ましい。設計上の問題により、地下に埋設することが難しい場合には、図３Ａ及び図３Ｂに示したように供給部材保護部２４を設けることが望ましい。この供給部材保護部２４は、コンクリート構造物でもよく、鋼鉄フレームなどの主知の補強材を用いることも可能である。
【００２１】
前記室外空気供給部材２２は、平常時にはタイマー(図示せず)に連結された換気扇を介して、時間当たり１５分間外部空気を吸入できるようにすることが望ましく、外部から新鮮な空気を吸い込む時、必ずその中間にフィルタ２３を使用して構成することによって、埃などを除去するようになすことが望ましい。
【００２２】
遮断ドア３０は、保護器本体１０に避難した避難者を外部衝撃体や火炎から保護し得るように完全遮蔽するように構成することが望ましく、図４に示したように保護機本体１０の一側に設けられるドア枠３１と、このドア枠３１に取り付けられ、ドア枠３１より広い面積を有するドア支持部材３２と、前記ドア枠３１の一側に取り付けられ、ドア支持部材３２により支持される固定ドア３３と、前記ドア枠３１の他側に設けられ、下側に少なくとも一つのローラ３４ａが取り付けられた移動ドア３４と、前記ドア枠３１にドア支持部材３２により支持された移動ドア３４が外部に離脱しないように、望ましくは、前記ドア枠３１に螺合するドア固定部材３５と、前記移動ドア３４の一側に設けられる取っ手３６とからなる。
【００２３】
前記遮断ドア３０は引き戸として、設置空間を最小化することができ、従来のドアと違って遮断効果を高めることができる。具体的に、従来のドアは、枠が予め組み立てられているので、先ずドアを持ち上げて上方部を嵌め込み、次いで下方部を嵌めるようになっている。本発明の望ましい実施例に採用された遮断ドア３０のドア枠は、ドア枠３１とドア支持部材３２とドア固定部材３５に分離することができる。また、格別な結合方式、即ち、ドア枠３１の一側にドア支持部材３２を固定し、そこに固定ドア３３と移動ドア３４を嵌め込んだ後、ドア枠３１の他側にドア固定部材３５を固定するので、外部との遮断効果をさらに高めることができる。
【００２４】
地震報知器４０は、図５に示したように、望ましくは、保護機本体１０の内部に設けられる報知器本体４１と、報知器本体４１の底面に設けられる支持ロッド４２と、前記支持ロッド４２の上端に取り付けられ、望ましくは、螺旋状のばねのような弾性支持体４３と、前記弾性支持体４３の上側に収容される感知錘４４と、前記報知器本体４１の底面に設けられ、外部衝撃により弾性支持体４３が動くときに接触する、望ましくは圧電素子の感知センサー４５と、前記報知器本体４１に設けられる非常ベル４６とを備える。
【００２５】
保護具５０は、図１に示したように、保護機本体１０に設けられ、望ましくは、ヘルメット、シートベルトなどが挙げられる。
【００２６】
図６は、図１に図示の災害用保護装置の使用状態図である。
【００２７】
以下で、図６に基づいて本発明の望ましい実施例による災害用保護装置１の使用状態について説明する。先ず、地震などが発生すると、地震報知器４０の感知錘４４が左右又は前後に振れることになり、この振動により感知錘４４が感知センサー４５に接触し、この感知センサー４５は、前記信号を制御部(図示せず)に伝達する。制御部は、この信号により非常ベル４６を鳴らし、このベル音を聞いた使用者は、建物内部にある本発明の望ましい実施例による災害用保護装置１のなかに避難する。大きな衝撃により建物内に閉じこめられた場合にも、空気供給部材２０を介して室内外の空気が供給されるので、長時間にわたって保護を受けることができ、且つ、保護フレーム１１や衝撃吸収スポンジ１２により避難者を外部衝撃からも保護することができる。
【００２８】
前記の実施例は、本発明の好適な実施の一例であり、本発明の実施例は、これに限定されるものではなく、本発明の要旨を逸脱しない範囲における変形や追加があっても本発明に含まれる。
【符号の説明】
【００２９】
１    災害用保護装置
１０  保護機本体 
１１  保護フレーム
１２  衝撃吸収スポンジ
２０  空気供給部材
２１  室内空気供給部材
２２  室外空気供給部材
２３  フィルタ
２４  供給部材保護部
３０  遮断ドア
３１  ドア枠
３２  ドア支持部材
３３  固定ドア
３４  移動ドア
３４ａ  ローラ
３５  ドア固定部材
３６  取っ手
４０  地震報知器
４１  報知器本体
４２  支持ロッド
４３  弾性支持体
４４  感知錘
４５  感知センサー
４６  非常ベル
５０  保護具
【図１】
2011012533.tif 000003
【図２】
2011012533.tif 000004
【図３Ａ】
2011012533.tif 000005
【図３Ｂ】
2011012533.tif 000006
【図４】
2011012533.tif 000007
【図５】
2011012533.tif 000008
【図６】
2011012533.tif 000009